(57)【要約】【課題】表示品位の低下を抑制することができる表示装置を提供する。【解決手段】本実施形態によれば、可撓性を有する第１基体と、可撓性を有し、第１基体と対向する第２基体と、第１基体と第２基体とを接着するシールと、第２基体とは反対側において、第１基体に設けられた第１補強フィルムと、を備え、平面視において、第１補強フィルムの端部は、シールの端部よりも内側に位置している表示装置が提供される。【選択図】図３
2019028168.tif 000002
【特許請求の範囲】
【請求項１】
可撓性を有する第１基体と、
可撓性を有し、前記第１基体と対向する第２基体と、
前記第１基体と前記第２基体とを接着するシールと、
前記第２基体とは反対側において、前記第１基体に設けられた第１補強フィルムと、
を備え、
平面視において、前記第１補強フィルムの端部は、前記シールの端部よりも内側に位置している表示装置。
【請求項２】
前記第１基体と前記第２基体との間に位置し、前記シールと重なる遮光層をさらに備え、
前記第１補強フィルムの端部は、前記遮光層と重なっている、請求項１に記載の表示装置。
【請求項３】
前記第１補強フィルムの端部は、前記シールの端部と前記遮光層の端部との間に位置する、請求項２に記載の表示装置。
【請求項４】
前記第２基体の前記第１基体と対向する側と反対側に設けられた第２補強フィルムと、
をさらに備える、請求項２又は３に記載の表示装置。
【請求項５】
前記第２補強フィルムは、前記第２基体の全体と重なっている、請求項４に記載の表示装置。
【請求項６】
平面部と曲面部とを有するカバー部材をさらに備え、
前記第１基体は、前記平面部及び前記曲面部と対向し、
前記第１補強フィルムは、前記平面部と重なっている、請求項１乃至５のいずれか１項に記載の表示装置。
【請求項７】
前記第１補強フィルムは、前記曲面部と重なっている、請求項６に記載の表示装置。
【請求項８】
平面部と曲面部とを有するカバー部材をさらに備え、
前記第１基体は、前記平面部及び前記曲面部と対向し、
前記遮光層の端部と前記第１補強フィルムとは、前記平面部と重なっている、請求項２乃至５のいずれか１項に記載の表示装置。
【請求項９】
平面部と曲面部とを有するカバー部材をさらに備え、
前記第１基体は、前記平面部及び前記曲面部と対向し、
前記遮光層の端部と前記第１補強フィルムとは、前記曲面部と重なっている、請求項２乃至５のいずれか１項に記載の表示装置。
【請求項１０】
前記第１補強フィルムの厚さは、前記第１基体の厚さより大きい、請求項１乃至９のいずれか１項に記載の表示装置。
【請求項１１】
平面部と曲面部とを有するカバー部材と、
液晶層を有し、前記平面部及び前記曲面部に接着された表示パネルと、
前記表示パネルに関して前記カバー部材と反対側に位置し、前記表示パネルに接着された第１補強フィルムと、
を備え、
前記第１補強フィルムの端部は、前記液晶層と重なっている、表示装置。
【発明の詳細な説明】
【技術分野】
【０００１】
本実施形態は、表示装置に関する。
【背景技術】
【０００２】
携帯電話やＰＤＡ（ｐｅｒｓｏｎａｌ  ｄｉｇｉｔａｌ  ａｓｓｉｓｔａｎｔ）等に用いられる表示装置では、性能面や、デザイン性等の観点から、狭額縁化が要求されている。狭額縁化の一例として、近年では、可撓性を有する表示パネルを用い、曲面状の端部を有する表示装置が開発されている。
【０００３】
表示パネルを曲面状に形成する際、表示パネルにシワが生じる場合がある。このようなシワは、液晶層を有する表示装置において、液晶層の厚さを不均一にし、結果として表示不良を引き起こす場合がある。
【先行技術文献】
【特許文献】
【０００４】
【特許文献１】特開２０１３−１２２４７１号公報
【特許文献２】特開２００４−１２６１９７号公報
【特許文献３】特開２０１５−２２６２０４号公報
【発明の概要】
【発明が解決しようとする課題】
【０００５】
本実施形態の目的は、表示品位の低下を抑制することができる表示装置を提供することである。
【課題を解決するための手段】
【０００６】
一実施形態によれば、  
可撓性を有する第１基体と、可撓性を有し、前記第１基体と対向する第２基体と、前記第１基体と前記第２基体とを接着するシールと、前記第２基体とは反対側において、前記第１基体に設けられた第１補強フィルムと、を備え、平面視において、前記第１補強フィルムの端部は、前記シールの端部よりも内側に位置している表示装置が提供される。
【０００７】
一実施形態によれば、  
平面部と曲面部とを有するカバー部材と、液晶層を有し、前記平面部及び前記曲面部に接着された表示パネルと、前記表示パネルに関して前記カバー部材と反対側に位置し、前記表示パネルに接着された第１補強フィルムと、を備え、前記第１補強フィルムの端部は、前記液晶層と重なっている、表示装置が提供される。
【図面の簡単な説明】
【０００８】
【図１】図１は、本実施形態に係る表示装置ＤＳＰの構成例を示す斜視図である。
【図２】図２は、図１に示す表示パネルＰＮＬと補強フィルムＲＦ１の構成例を示す平面図である。
【図３】図３は、図２に示すＡ−Ｂ線に沿った断面図である。
【図４】図４は、図２に示す表示領域ＤＡの構成例を示す断面図である。
【図５】図５は、表示装置ＤＳＰの他の例を示す平面図である。
【図６】図６は、表示装置ＤＳＰの他の例を示す平面図である。
【図７】図７は、表示装置ＤＳＰの他の例を示す斜視図である。
【図８】図８は、図７に示す表示装置のＸ−Ｚ平面に沿った断面図である。
【図９】図９は、表示装置ＤＳＰの他の例を示す平面図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
図１は、本実施形態に係る表示装置ＤＳＰの構成例を示す斜視図である。図１は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘと第２方向Ｙとは、９０度以外の角度で交差していてもよい。本実施形態において、図示した第３方向Ｚの矢印が向かう方向を上と定義し、反対側の方向を下と定義する。
【００１１】
本実施形態において、表示装置ＤＳＰは、一例として、液晶層を有する液晶表示装置である。図示した例では、表示装置ＤＳＰは、略矩形状であり、第１方向Ｘに沿って延伸した端部ＥＸ１及びＥＸ２と、第２方向Ｙに沿って延伸した端部ＥＹ１及びＥＹ２とを有している。本実施形態において、表示装置ＤＳＰは、端部ＥＹ１及びＥＹ２の近傍において湾曲している。なお、表示装置ＤＳＰは、端部ＥＸ１及びＥＸ２の近傍において湾曲されていてもよく、端部ＥＸ１、ＥＸ２、ＥＹ１、及びＥＹ２のいずれか１つの端部においてのみ湾曲されていてもよく、３つ以上の端部において湾曲されていてもよい。
【００１２】
表示装置ＤＳＰは、表示パネルＰＮＬ、カバー部材ＣＧ、照明装置ＢＬ、及び補強フィルムＲＦ１を備えている。
【００１３】
カバー部材ＣＧは、表示パネルＰＮＬの形状を保つ程度の剛性を有し、透明な材料によって形成されている。カバー部材ＣＧは、一例では、ガラスによって形成されているが、例えば樹脂によって形成されていてもよい。
【００１４】
図示した例では、カバー部材ＣＧは、曲面状の曲面部Ｃ１ａ及びＣ１ｂと、平面状の平面部Ｆ１とを有している。曲面部Ｃ１ａ及びＣ１ｂは、一例では、それぞれ端部ＥＹ１及びＥＹ２に沿って設けられている。曲面部Ｃ１ａ及びＣ１ｂは、第２方向Ｙに沿った軸を中心として、照明装置ＢＬ側へ湾曲している。換言すると、曲面部Ｃ１ａ及びＣ１ｂの母線は、第２方向Ｙと平行である。平面部Ｆ１は、一例では、Ｘ−Ｙ平面と平行である。平面部Ｆ１は、曲面部Ｃ１ａと曲面部Ｃ１ｂとの間に位置している。図示した例では、平面部Ｆ１と曲面部Ｃ１ａ及びＣ１ｂとは、端部ＥＸ１から端部ＥＸ２に亘って位置している。
【００１５】
表示パネルＰＮＬは、カバー部材ＣＧと照明装置ＢＬとの間に位置し、カバー部材ＣＧに接着されている。表示パネルＰＮＬは、可撓性を有し、カバー部材ＣＧに沿って配置されている。すなわち、表示パネルＰＮＬは、カバー部材ＣＧと同様の形状を有している。具体的には、表示パネルＰＮＬは、曲面部Ｃ１ａ及びＣ１ｂに接着された曲面部Ｃ２ａ及びＣ２ｂと、平面部Ｆ１に接着された平面部Ｆ２とを有している。図示した例では、照明装置ＢＬについても、端部ＥＹ１及びＥＹ２の近傍において、カバー部材ＣＧ及び表示ＰＮＬＰＮＬと同様に湾曲している。
【００１６】
表示パネルＰＮＬは、一例では、照明装置ＢＬからの光を選択的に透過させることで画像を表示する透過型の液晶表示パネルである。なお、表示パネルＰＮＬは、外光あるいは照明装置ＢＬからの光を選択的に反射させることで画像を表示させる反射型であってもよいし、透過型及び反射型の双方の表示機能を備えた半透過型であってもよい。
【００１７】
表示パネルＰＮＬは、表示領域ＤＡと、非表示領域ＮＤＡを有している。表示領域ＤＡは、画像を表示する領域である。非表示領域ＮＤＡは、表示領域ＤＡの外側に位置し、表示領域ＤＡを囲む額縁状の領域である。図示した例では、表示領域ＤＡは、平面部Ｆ２に位置するとともに、一部が曲面部Ｃ２ａ及びＣ２ｂにも位置している。
【００１８】
補強フィルムＲＦ１は、照明装置ＢＬと表示パネルＰＮＬとの間に位置し、表示パネルＰＮＬに接着されている。本実施形態において、補強フィルムＲＦ１は、表示パネルＰＮＬの形状を保つため支持体として機能する。補強フィルムＲＦ１は、少なくとも表示領域ＤＡのすべてと重なっている。図示した例では、補強フィルムＲＦ１は、平面部Ｆ２と接するとともに、一部が曲面部Ｃ２ａ及びＣ２ｂとも接している。
【００１９】
図２は、図１に示す表示パネルＰＮＬと補強フィルムＲＦ１の構成例を示す平面図である。図２は、第１方向Ｘ及び第２方向Ｙによって規定されるＸ−Ｙ平面に平行な面を示している。
【００２０】
表示パネルＰＮＬは、第１基板ＳＵＢ１と、第２基板ＳＵＢ２とを備えている。第１基板ＳＵＢ１と第２基板ＳＵＢ２とは、第３方向Ｚに対向している。第１基板ＳＵＢ１と第２基板ＳＵＢ２とは、図において右上がりの斜線で示すように、シールＳＥによって接着されている。図示した例では、シールＳＥは、第２基板ＳＵＢ２の外周に沿って環状に設けられている。
【００２１】
第２基板ＳＵＢ２は、図において右下がりの斜線で示すように、遮光層ＢＭを備えている。なお、図において斜線が交差する領域は、シールＳＥと遮光層ＢＭとが重なる領域に相当する。遮光層ＢＭは、シールＳＥと同様に、第２基板ＳＵＢ２の外周に沿って環状に設けられている。図示した例では、遮光層ＢＭは、シールＳＥのすべてと重なり、且つ、シールＳＥより内側にも延在している。すなわち、遮光層ＢＭの内周ＩＢは、シールＳＥの内周ＩＳによって囲まれている。本実施形態において、表示領域ＤＡは、遮光層ＢＭによって囲まれた領域に相当し、非表示領域ＮＤＡは、遮光層ＢＭが配置された領域に相当する。
【００２２】
第１基板ＳＵＢ１は、第２基板ＳＵＢ２より第２方向Ｙに沿って延伸した実装部ＭＴを備えている。図示した例では、実装部ＭＴは、端部ＥＸ１に沿って設けられている。実装部ＭＴは、表示パネルＰＮＬを外部装置等と電気的に接続するための複数の端子ＴＥを含んでいる。図示した例では、端子ＴＥは、実装部ＭＴのうち、平面部Ｆ２に位置している。
【００２３】
表示パネルＰＮＬは、表示領域ＤＡにおいて、複数の画素ＰＸを備えている。ここで、画素ＰＸとは、画素信号に応じて個別に制御することができる最小単位に相当し、画素電極、共通電極、液晶層、及びスイッチング素子などを備えている。図示した例では、画素ＰＸは、第１方向Ｘ及び第２方向Ｙに沿ってマトリクス状に配置されている。
【００２４】
補強フィルムＲＦ１は、図において太い破線で示すように、一例では矩形状である。補強フィルムＲＦ１は、表示領域ＤＡの全面及び非表示領域ＮＤＡの一部に位置している。図示した例では、補強フィルムＲＦ１は、遮光層ＢＭと重なっているが、シールＳＥとは重なっていない。換言すると、補強フィルムＲＦ１の外周Ｅ１は、内周ＩＳと内周ＩＢとの間に位置している。図示した例では、外周Ｅ１は、内周ＩＳよりも内周ＩＢに近接している。
【００２５】
なお、図示した例では、表示パネルＰＮＬ、表示領域ＤＡ、及び補強フィルムＲＦ１は、矩形状であるが、他の形状であってもよい。表示パネルＰＮＬ、表示領域ＤＡ、及び補強フィルムＲＦ１は、例えばラウンド状の角部を有する略矩形状であってもよい。また、表示パネルＰＮＬ、表示領域ＤＡ、及び補強フィルムＲＦ１の形状は、それぞれ異なっていてもよい。
【００２６】
図３は、図２に示すＡ−Ｂ線に沿った表示装置ＤＳＰの断面図である。表示装置ＤＳＰは、表示パネルＰＮＬ、カバー部材ＣＧ、補強フィルムＲＦ１、及び照明装置ＢＬを備えている。
【００２７】
表示パネルＰＮＬは、基体１０及び２０、液晶層ＬＣ、シールＳＥ、遮光層ＢＭ、及び光学素子ＯＤ１及びＯＤ２を有している。なお、ここでは、説明に必要な構成のみを示し、絶縁層や導電層などを省略している。詳細は後述するが、基体１０は、図２に示す第１基板ＳＵＢ１を構成し、基体２０は、図２に示す第２基板ＳＵＢ２を構成している。基体１０及び２０は、例えばポリイミド等の可撓性を有する有機材料によって形成されている。
【００２８】
シールＳＥ、遮光層ＢＭ、及び液晶層ＬＣは、基体１０と基体２０との間に位置している。図示した例では、遮光層ＢＭ及びシールＳＥは、いずれも曲面部Ｃ２ａ及びＣ２ｂに位置している。遮光層ＢＭは、シールＳＥのすべてと重なるとともに、シールＳＥより内側へ延伸している。ここで、「内側」とは、表示領域ＤＡの中央に近接する側を意味する。液晶層ＬＣは、シールＳＥによって挟まれた内側の領域に位置している。液晶層ＬＣは、平面部Ｆ２に位置するとともに、一部が曲面部Ｃ２ａ及びＣ２ｂに位置している。
【００２９】
光学素子ＯＤ１は、基体１０と照明装置ＢＬとの間に位置し、基体１０に接着されている。光学素子ＯＤ１と基体１０との間には、接着層ＧＬ１が介在している。光学素子ＯＤ２は、基体２０とカバー部材ＣＧとの間に位置し、基体２０に接着されている。光学素子ＯＤ２と基体２０との間には、接着層ＧＬ２が介在している。
【００３０】
光学素子ＯＤ１及びＯＤ２は、一例では、偏光板である。なお、光学素子ＯＤ１及びＯＤ２は、複数の部材から形成されていてもよい。例えば光学素子ＯＤ１は、プリズム構造を有する部材をさらに含み、照明装置ＢＬからの光を表示パネルＰＮＬ側へ集光する集光作用を有していてもよい。
【００３１】
光学素子ＯＤ１及びＯＤ２は、一例では、図２に示す基体２０とほぼ同じ大きさである。図示した例では、光学素子ＯＤ１及びＯＤ２は、基体１０及び２０の全面に設けられている。光学素子ＯＤ１の端部ＥＯ１ａ及びＥＯ１ｂは、基体１０の端部Ｅ１０ａ及びＥ１０ｂと重なっている。また、光学素子ＯＤ２の端部ＥＯ２ａ及びＥＯ２ｂは、基体２０の端部Ｅ２０ａ及びＥ２０ｂと重なっている。ここで、「重なる」とは、表示面に沿った方向と直交する方向に重なることを意味する。すなわち、「重なる」とは、平面部Ｆ２においては、第３方向Ｚに沿って重なることを意味し、曲面部Ｃ２ａ及びＣ２ｂにおいては、図において破線で示すように、曲面の法線方向に沿って重なることを意味する。なお、端部ＥＯ１ａ及びＥＯ１ｂは、必ずしも端部Ｅ１０ａ及びＥ１０ｂと重なっている必要はなく、端部ＥＯ２ａ及びＥＯ２ｂは、必ずしも端部Ｅ２０ａ及びＥ２０ｂと重なっている必要はない。
【００３２】
カバー部材ＣＧは、表示パネルＰＮＬに関して照明装置ＢＬと反対側に位置している。図示した例では、カバー部材ＣＧは、光学素子ＯＤ２と接着されている。光学素子ＯＤ２とカバー部材ＣＧとの間には、接着層ＧＬ３が介在している。
【００３３】
補強フィルムＲＦ１は、照明装置ＢＬと表示パネルＰＮＬとの間に位置している。補強フィルムＲＦ１は、表示パネルＰＮＬに接着されているが、照明装置ＢＬからは離間している。図示した例では、補強フィルムＲＦ１は、平面部Ｆ２と曲面部Ｃ２ａ及びＣ２ｂとに接着されている。換言すると、補強フィルムＲＦ１は、カバー部材ＣＧの平面部Ｆ１と曲面部Ｃ１ａ及びＣ１ｂとに重なっている。
【００３４】
図示した例では、補強フィルムＲＦ１は、光学素子ＯＤ１に接着されている。補強フィルムＲＦ１と光学素子ＯＤ１との間には、全体に亘って接着層ＧＬ４が介在している。本実施形態において、補強フィルムＲＦ１は、光学素子ＯＤ１が設けられた領域の内側に位置している。すなわち、曲面部Ｃ２ａ側において、補強フィルムＲＦ１の端部Ｅ１ａは、光学素子ＯＤ１の端部ＥＯ１ａより内側に位置している。また、曲面部Ｃ２ｂ側において、補強フィルムＲＦ１の端部Ｅ１ｂは、光学素子ＯＤ１の端部ＥＯ１ｂより内側に位置している。
【００３５】
さらに、補強フィルムＲＦ１は、そのすべてが、液晶層ＬＣが設けられた液晶領域ＬＡ内に位置している。つまり、端部Ｅ１ａ及びＥ１ｂは、液晶層ＬＣと重なっている。換言すると、曲面部Ｃ２ａ側において、端部Ｅ１ａは、シールＳＥの表示領域ＤＡ側の端部ＩＳａより内側に位置している。曲面部Ｃ２ｂ側において、端部Ｅ１ｂは、シールＳＥの表示領域ＤＡ側の端部ＩＳｂより内側に位置している。また、上述したように、端部Ｅ１ａ及びＥ１ｂは、遮光層ＢＭと重なっている。曲面部Ｃ２ａ側において、遮光層ＢＭの表示領域ＤＡ側の端部ＩＢａは、端部Ｅ１ａより内側に位置している。曲面部Ｃ２ｂ側において、遮光層ＢＭの表示領域ＤＡ側の端部ＩＢｂは、端部Ｅ１ｂより内側に位置している。
【００３６】
ここで、端部Ｅ１ａは、図２に示す外周Ｅ１のうち、端部ＥＹ１に沿った部分に相当する。端部Ｅ１ｂは、図２に示す外周Ｅ１のうち、端部ＥＹ２に沿った部分に相当する。端部ＩＳａ及びＩＢａは、図２に示す内周ＩＳ及びＩＢのうち、端部ＥＹ１に沿った部分に相当する。端部ＩＳｂ及びＩＢｂは、図２に示す内周ＩＳ及びＩＢのうち、端部ＥＹ２に沿った部分に相当する。
【００３７】
補強フィルムＲＦ１は、一例では、単一の部材からなる。補強フィルムＲＦ１は、照明装置ＢＬからの光をほとんど吸収せずに透過する透明な材料によって形成されている。本実施形態において、補強フィルムＲＦ１は、透過光の光学的性質にほとんど影響を与えない。具体的には、補強フィルムＲＦ１は、偏光軸を持たず、特定の偏光に対する吸収作用及び反射作用を発揮しない。また、補強フィルムＲＦ１は、透過光に対して位相差を与えない。また、補強フィルムＲＦ１は、プリズム構造等を持たず、集光作用を発揮しない。さらに、補強フィルムＲＦ１は、微粒子等を含まず、光拡散機能を発揮しない。このような補強フィルムＲＦ１は、一例では、ポリエチレンテレフタラート（ＰＥＴ）によって形成されている。
【００３８】
本実施形態において、補強フィルムＲＦ１の厚さＴＲ１は、基体１０の厚さＴ１０及び基体２０の厚さＴ２０より大きい。また、接着層ＧＬ４の厚さＴＧ４は、接着層ＧＬ１、ＧＬ２、及びＧＬ３の厚さＴＧ１、ＴＧ２、ＴＧ３より大きい。さらに、図示した例では、厚さＴＧ４は、厚さＴＲ１より小さいが、厚さＴ１０及びＴ２０と同等以上である。このような構成にすることで、補強フィルムＲＦ１と基体１０との密着性が向上する。ここで、「厚さ」とは、一例では、平面部Ｆ１と重なる領域における第３方向Ｚに沿った長さに相当する。
【００３９】
シールＳＥは、第１基板ＳＵＢ１と第２基板ＳＵＢ２との位置を固定する機能を有している。また、補強フィルムＲＦ１は、第１基板ＳＵＢ１の形状変化を抑制する機能を有している。したがって、シールＳＥと補強フィルムＲＦ１との間の領域ＡＡは、表示パネルＰＮＬをカバー部材ＣＧに接着した際に、表示パネルＰＮＬに生じる応力の影響を受けやすい。図示した例では、領域ＡＡは、端部Ｅ１ａと端部ＩＳａとの間の領域、及び端部Ｅ１ｂと端部ＩＳｂとの間の領域に相当する。
【００４０】
図４は、図２に示す表示領域ＤＡの構成例を示す断面図である。図４は、表示装置ＤＳＰを第３方向Ｚに沿って切断した断面図を示す。図示した表示パネルＰＮＬは、主として基板主面にほぼ平行な横電界を利用する表示モードに対応した構成を有している。ここで基板主面とは、Ｘ−Ｙ平面と平行な面である。
【００４１】
表示パネルＰＮＬは、第１基板ＳＵＢ１、第２基板ＳＵＢ２、及び液晶層ＬＣを備えている。
【００４２】
第１基板ＳＵＢ１は、基体１０、信号線Ｓ、共通電極ＣＥ、金属層ＭＬ、画素電極ＰＥ、第１絶縁層１１、第２絶縁層１２、第３絶縁層１３、第１配向膜ＡＬ１などを備えている。基体１０は、第２基板ＳＵＢ２と対向する第１面１０Ａと、第１面１０Ａと反対側の第２面１０Ｂとを有している。なお、ここでは、スイッチング素子や走査線、これらの間に介在する各種絶縁層等の図示を省略している。
【００４３】
第１絶縁層１１は、第１面１０Ａに形成されている。図示しない走査線やスイッチング素子の半導体層は、基体１０と第１絶縁層１１の間に位置している。信号線Ｓは、第１絶縁層１１の上に位置している。第２絶縁層１２は、信号線Ｓ、及び、第１絶縁層１１の上に位置している。共通電極ＣＥは、第２絶縁層１２の上に位置している。金属層ＭＬは、信号線Ｓの直上において共通電極ＣＥに接触している。図示した例では、金属層ＭＬは、共通電極ＣＥの上に位置しているが、共通電極ＣＥと第２絶縁層１２との間に位置していてもよい。第３絶縁層１３は、共通電極ＣＥ、及び、金属層ＭＬの上に位置している。画素電極ＰＥは、第３絶縁層１３の上に位置している。画素電極ＰＥは、第３絶縁層１３を介して共通電極ＣＥと対向している。また、画素電極ＰＥは、共通電極ＣＥと対向する位置にスリットＳＴを有している。第１配向膜ＡＬ１は、画素電極ＰＥ及び第３絶縁層１３を覆っている。
【００４４】
走査線、信号線Ｓ、及び、金属層ＭＬは、モリブデン、タングステン、チタン、アルミニウムなどの金属材料によって形成され、単層構造であってもよいし、多層構造であってもよい。共通電極ＣＥ及び画素電極ＰＥは、ＩＴＯやＩＺＯなどの透明な導電材料によって形成されている。第１絶縁層１１及び第３絶縁層１３は無機絶縁層であり、第２絶縁層１２は有機絶縁層である。
【００４５】
なお、第１基板ＳＵＢ１の構成は、図示した例に限らず、画素電極ＰＥが第２絶縁層１２と第３絶縁層１３との間に位置し、共通電極ＣＥが第３絶縁層１３と第１配向膜ＡＬ１との間に位置していてもよい。このような場合、画素電極ＰＥはスリットを有していない平板状に形成され、共通電極ＣＥは画素電極ＰＥと対向するスリットを有する。また、画素電極ＰＥ及び共通電極ＣＥの双方が櫛歯状に形成され、互いに噛み合うように配置されていてもよい。
【００４６】
第２基板ＳＵＢ２は、基体２０、遮光層ＢＭ、カラーフィルタＣＦ、オーバーコート層ＯＣ、第２配向膜ＡＬ２などを備えている。基体２０は、第１基板ＳＵＢ１と対向する第１面２０Ａと、第１面２０Ａと反対側の第２面２０Ｂとを有している。
【００４７】
遮光層ＢＭ及びカラーフィルタＣＦは、基体２０の第１面２０Ａ側に位置している。遮光層ＢＭは、各画素ＰＸを区画する。図示した例では、遮光層ＢＭは、信号線Ｓの直上に位置している。カラーフィルタＣＦは、画素電極ＰＥと対向し、その一部が遮光層ＢＭに重なっている。カラーフィルタＣＦは、赤色カラーフィルタ、緑色カラーフィルタ、青色カラーフィルタなどを含む。オーバーコート層ＯＣは、カラーフィルタＣＦを覆っている。第２配向膜ＡＬ２は、オーバーコート層ＯＣを覆っている。
【００４８】
なお、カラーフィルタＣＦは、第１基板ＳＵＢ１に配置されてもよい。カラーフィルタＣＦは、白色等を含む４色以上のカラーフィルタを含んでいてもよい。白色を表示する画素を設ける場合には、白色のカラーフィルタが配置されてもよいし、無着色の樹脂材料が配置されてもよいし、カラーフィルタを配置せずにオーバーコート層ＯＣを配置してもよい。
【００４９】
また、遮光層ＢＭは、カラーフィルタＣＦよりも第１基板ＳＵＢ１側に配置されてもよい。例えば、遮光層ＢＭは、カラーフィルタＣＦとオーバーコート層ＯＣとの間に位置してもよいし、オーバーコート層ＯＣと第２配向膜ＡＬ２との間に位置してもよい。さらには、遮光層ＢＭは、複数の層に配置されていてもよい。
【００５０】
液晶層ＬＣは、第１基板ＳＵＢ１と第２基板ＳＵＢ２との間に保持されている。図示した例では、液晶層ＬＣは、第１配向膜ＡＬ１及び第２配向膜ＡＬ２と接している。光学素子ＯＤ１及びＯＤ２の構成は、図３に示す例と同様であるため、説明を省略する。
【００５１】
なお、表示パネルＰＮＬは、基板主面に対して垂直な縦電界や、基板主面に対して斜め方向の電界、或いは、それらを組み合わせて利用する表示モードに対応した構成を有していてもよい。縦電界や斜め電界を利用する表示モードでは、例えば、第１基板ＳＵＢ１に画素電極ＰＥ及び共通電極ＣＥのいずれか一方が備えられ、第２基板ＳＵＢ２に画素電極ＰＥ及び共通電極ＣＥのいずれか他方が備えられた構成が適用可能である。
【００５２】
照明装置ＢＬは、導光板３０、反射層ＲＬ、及び光学素子ＯＤ３及び光学素子ＯＤ４を備えている。導光板３０は、表示パネルＰＮＬと対向する第１面３０Ａと、第１面３０Ａと反対側の第２面３０Ｂとを有している。反射層ＲＬは、第２面３０Ｂに設けられている。光学素子ＯＤ３及びＯＤ４は、第１面３０Ａに設けられている。光学素子ＯＤ３は、導光板３０と光学素子ＯＤ４との間に位置している。光学素子ＯＤ３は、一例では、微粒子等を含み、導光板３０からの光を拡散する光拡散機能を有している。光学素子ＯＤ４は、例えばプリズム構造を有し、導光板３０からの光を表示パネルＰＮＬへ向かって集光する集光機能を有している。図示した例では、表示領域ＤＡにおいて、導光板３０と光学素子ＯＤ３との間、及び光学素子ＯＤ３と光学素子ＯＤ４との間には、いずれも接着層は介在していない。
【００５３】
なお、照明装置ＢＬの構成は、図示した例に限定されない。照明装置ＢＬは、１つの光学素子を有していてもよく、３つ以上の光学素子を有していてもよい。
【００５４】
本実施形態によれば、曲面部Ｃ１ａ及びＣ１ｂを有するカバー部材ＣＧと、カバー部材ＣＧに接着され曲面部Ｃ２ａ及びＣ２ｂを有する表示パネルＰＮＬとを備える表示装置ＤＳＰおいて、少なくとも表示領域ＤＡの全面に補強フィルムＲＦ１が設けられている。補強フィルムＲＦ１は、十分に厚く、表示パネルＰＮＬの基体１０側に接着されている。これにより、表示パネルＰＮＬがカバー部材ＣＧに沿って湾曲され、応力が生じる場合であっても、表示パネルＰＮＬが意図しない形状に変形すること抑制することができる。例えば、補強フィルムＲＦ１が設けられた領域においては、基体１０と基体２０との曲率の違いに起因した基体１０におけるシワの発生を抑制することができる。したがって、表示領域ＤＡにおいて、液晶層ＬＣの厚さが不均一になることを抑制し、表示品位の低下を抑制することができる。
【００５５】
さらに、補強フィルムＲＦ１は、遮光層ＢＭ及び液晶層ＬＣと重なっているが、シールＳＥとは重なっていない。このような構成にすることで、表示パネルＰＮＬの湾曲に起因して基体１０にシワが生じる場合であっても、シワの位置を領域ＡＡ内に位置するように制御することができる。この結果、基体１０にシワが生じた場合であっても表示への影響を防ぐことができる。
【００５６】
図５は、表示装置ＤＳＰの他の例を示す平面図である。図５に示す例は、補強フィルムＲＦ１の一部がシールＳＥと重なっている点で、図２に示す例と相違している。
【００５７】
シールＳＥは、第２基板ＳＵＢ２の４つの角部ＣＮ１において、第２基板ＳＵＢ２の外周よりも表示領域ＤＡ側に位置している。図示した例では、シールＳＥは、各角部ＣＮ１において、ラウンド状に形成されている。補強フィルムＲＦ１の外周Ｅ１は、各角部ＣＮ１において、部分的にシールＳＥと重なっている。すなわち、補強フィルムＲＦ１の４つの角部ＣＮ２は、シールＳＥと重なっている。
【００５８】
本例においても、図２に示す例と同様の効果を得ることができる。
【００５９】
図６は、表示装置ＤＳＰの他の例を示す平面図である。図６に示す例は、補強フィルムＲＦ１の第１方向Ｘに沿って延伸した端部Ｅ１ｃ及びＥ１ｄがシールＳＥと重なっている点で、図２に示す例と相違している。図示した例では、第２方向Ｙにおいて、補強フィルムＲＦ１の長さと第２基板ＳＵＢ２の長さとは、ほぼ等しい。曲面部Ｃ２ａ及びＣ２ｂが第２方向Ｙに沿った軸を中心として湾曲される場合には、本例においても、図２に示す例と同様の効果を得ることができる。
【００６０】
図７は、表示装置ＤＳＰの他の例を示す斜視図である。図７に示す例は、表示領域ＤＡが平面部Ｆ２にのみ位置している点で、図１に示す例と相違している。これに伴い、補強フィルムＲＦ１も、平面部Ｆ２のみと重なっている。
【００６１】
図８は、図７に示す表示装置ＤＳＰのＸ−Ｚ平面と平行な断面図である。
【００６２】
シールＳＥは、曲面部Ｃ２ａ及びＣ２ｂに位置している。遮光層ＢＭは、曲面部Ｃ２ａ及びＣ２ｂに位置するとともに、平面部Ｆ２まで延伸している。これにより、表示領域ＤＡは、平面部Ｆ２に形成される。補強フィルムＲＦ１は、平面部Ｆ２のみと接着されている。換言すると、補強フィルムＲＦ１は、カバー部材ＣＧの平面部Ｆ１のみと重なっている。端部Ｅ１ａ及びＥ１ｂは、いずれも平面部Ｆ２及びＦ１に重なるとともに、遮光層ＢＭとも重なっている。
【００６３】
本例においても、図３に示す例と同様の効果を得ることができる。
【００６４】
図９は、表示装置ＤＳＰの他の例を示す断面図である。図９に示す例は、表示装置ＤＳＰが補強フィルムＲＦ２をさらに備えている点で、図３に示す例と相違している。
【００６５】
補強フィルムＲＦ２は、カバー部材ＣＧと表示パネルＰＮＬとの間に位置し、これらと接着されている。図示した例では、補強フィルムＲＦ２は、光学素子ＯＤ２に接着されている。補強フィルムＲＦ２と光学素子ＯＤ２との間には、接着層ＧＬ５が介在している。また、補強フィルムＲＦ２とカバー部材ＣＧとの間には、接着層ＧＬ３が介在している。
【００６６】
補強フィルムＲＦ２は、補強フィルムＲＦ１と同一の構成である。補強フィルムＲＦ２の厚さＴＲ２は、一例では、厚さＴＲ１とほぼ等しい。なお、厚さＴＲ２は、厚さＴＲ１と異なっていてもよい。接着層ＧＬ５の厚さＴＧ５は、一例では、厚さＴＧ４と同程度であり、厚さＴＧ１、ＴＧ２、及びＴＧ３より大きい。なお、厚さＴＧ４は、厚さＴＧ４と異なっていてもよい。
【００６７】
図示した例では、補強フィルムＲＦ２は、基体２０の全体と重なっている。すなわち、一例では、補強フィルムＲＦ２の形状及び大きさは、図２に示す第２基板ＳＵＢ２の形状及び大きさとほぼ等しい。上述したように、補強フィルムＲＦ１がシールＳＥと重なっていない一方で、補強フィルムＲＦ２は、シールＳＥと重なっている。端部ＥＹ１側において、補強フィルムＲＦ２の端部Ｅ２ａは、基体２０の端部Ｅ２０ａと重なっている。また、端部ＥＹ２側において、補強フィルムＲＦ２の端部Ｅ２ｂは、基体２０の端部Ｅ２０ｂと重なっている。
【００６８】
本構成例においても、図３に示す例と同様の効果を得ることができる。
【００６９】
本実施形態において、基体１０は、第１基体に相当し、基体２０は、第２基体に相当し、光学素子ＯＤ１は、第１光学素子に相当し、光学素子ＯＤ２は、第２光学素子に相当すし、補強フィルムＲＦ１は、第１補強フィルムに相当し、補強フィルムＲＦ２は、第２補強フィルムに相当する。
【００７０】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７１】
１０，２０…基体、ＰＮＬ…表示パネル、ＣＧ…カバー部材、ＢＬ…照明装置、ＬＣ…液晶層、ＳＥ…シール、ＢＭ…遮光層、Ｆ１，Ｆ２…平面部、Ｃ１ａ，Ｃ１ｂ，Ｃ２ａ，Ｃ２ｂ…曲面部、Ｅ１ａ，Ｅ１ｂ，ＩＳａ，ＩＳｂ，ＩＢａ，ＩＢｂ，Ｅ２０ａ，Ｅ２０ｂ…端部。
【図１】
2019028168.tif 000003
【図２】
2019028168.tif 000004
【図３】
2019028168.tif 000005
【図４】
2019028168.tif 000006
【図５】
2019028168.tif 000007
【図６】
2019028168.tif 000008
【図７】
2019028168.tif 000009
【図８】
2019028168.tif 000010
【図９】
2019028168.tif 000011